(57)【要約】【課題】物体を人の目で直接認識した場合と同等の色で物体の画像を表示することができる画像表示装置及びコンピュータプログラムを提供する。【解決手段】画像表示装置１は、標準色を表す色彩値と標準色を特定する色データに基づいて表示器（表示手段）２で表示する色を表す色彩値との差分を記録した色特性データを記憶しておき、受信した画像データに含まれる色データから画素の色彩値を計算し、計算した色彩値が表す色を表示器２で表示できるように、差分を用いて色彩値を補正し、補正した色彩値が表す色を指定する色データに基づいて、表示器２で画像を表示する。また画像表示装置１は、表示器２が表示する画像の明るさを輝度計１７で測定し、明るさの変化による色の変化を相殺するように色を補正する。【選択図】図１
2008306498.tif 000002
【特許請求の範囲】
【請求項１】
色を特定する色データを含む画像データを受信する受信手段と、該受信手段が受信した画像データに基づいた画像を表示する表示手段とを備える画像表示装置において、
予め求められた、色データが特定する色と前記表示手段が前記色データに基づいて表示する色との色ずれを示す情報を記憶する手段と、
前記情報が示す色のずれを解消するように、前記受信手段が受信した画像データが含む色データに基づいて前記表示手段が表示する色を補正する手段と
を備えることを特徴とする画像表示装置。
【請求項２】
前記表示手段が表示する画像の明るさを測定する手段と、
画像の明るさに応じて色が変化して人の目に見える現象に基づき、前記表示手段が表示する画像の明るさに応じて該画像の色が変化して見える色変化を相殺するように、前記表示手段が表示する画像の色を補正する手段と
を更に備えることを特徴とする請求項１に記載の画像表示装置。
【請求項３】
色を特定する色データを含む画像データを受信する受信手段と、該受信手段が受信した画像データに基づいた画像を表示する表示手段とを備える画像表示装置において、
予め求められた、所定の標準色を表す色彩値と、前記標準色を特定する色データに基づいて前記表示手段が表示する色を表す色彩値との差分を記憶する記憶手段と、
前記受信手段が受信した画像データが含む色データが特定する色を表す色彩値を求める手段と、
求めた色彩値が表す色を前記表示手段で表示できるように、求めた色彩値を前記差分を用いて補正する補正手段と、
前記画像データが含む色データを、補正した色彩値が表す色を特定する色データへ変換する手段と、
該手段が色データを変換した画像データに基づいて前記表示手段に画像を表示させる手段と
を備えることを特徴とする画像表示装置。
【請求項４】
明るさの変化に応じて色が変化して人の目に見える各色の色変化を示す色変化情報を記憶する手段と、
前記表示手段が表示する画像の明るさを測定する手段と、
前記受信手段が受信した画像データが示す画像の明るさを求める手段と、
該手段が求めた明るさから前記表示手段が表示する画像の明るさへ明るさが変化したときに前記画像データが含む色データが示す色へ色変化を起こす色を表す色彩値を、前記色変化情報に基づいて特定する色彩値特定手段とを更に備え、
前記補正手段は、前記色彩値特定手段が特定した色彩値を補正するように構成してあること
を特徴とする請求項３に記載の画像表示装置。
【請求項５】
前記記憶手段は、複数種類の表示手段の夫々について予め求められた、所定の標準色を表す色彩値と、前記標準色を特定する色データに基づいて表示手段が表示する色を表す色彩値との差分を、複数の表示手段の種類に関連付けて記憶しており、
複数の表示手段の種類の中から一の種類の選択を受け付ける手段と、
該手段が選択を受け付けた表示手段の種類に関連付けて前記記憶手段が記憶している前記差分を、前記補正手段で用いるべき差分として取得する手段と
を更に備えることを特徴とする請求項３又は４に記載の画像表示装置。
【請求項６】
コンピュータに、画像データに基づいた画像を表示手段に表示させるコンピュータプログラムにおいて、
コンピュータに、画像データが含む色データが特定する色を表す色彩値を求めさせる手順と、
コンピュータに、所定の標準色を表す色彩値と前記標準色を特定する色データに基づいて前記表示手段が表示する色を表す色彩値との差分を用いて、求めた色彩値が表す色を前記表示手段で表示できるように、求めた色彩値を補正させる手順と、
コンピュータに、画像データが含む色データを、補正した色彩値が表す色を特定する色データへ変換させる手順と、
コンピュータに、色データを変換した画像データに基づいて前記表示手段に画像を表示させる手順と
を含むことを特徴とするコンピュータプログラム。
【請求項７】
コンピュータに、画像データが示す画像の明るさを求めさせる手順と、
コンピュータに、求めた明るさから前記表示手段が表示する画像の明るさへ明るさが変化したときに画像データが含む色データが示す色へ色変化を起こす色を表す色彩値を、明るさの変化に応じて色が変化して人の目に見える各色の色変化を示す色変化情報に基づいて特定させる手順と
を更に含むことを特徴とする請求項６に記載のコンピュータプログラム。
【発明の詳細な説明】
【技術分野】
【０００１】
本発明は、画像を表示する画像表示装置に関し、より詳しくは、物体を撮影した画像を正しい色合いで表示することができる画像表示装置及びコンピュータプログラムに関する。
【背景技術】
【０００２】
人の目に見える物体の色は、物体の表面状態、光源の波長分布、環境光の有無等、物体が置かれている環境によって影響される。また物体をカメラで撮影し、撮影した画像を画像表示装置で表示した場合、カメラには各色をどの程度記録できるかを特徴付ける特性があり、物体の色を人の目で直接認識した場合に比べ、表示された画像の色はカメラの特性に応じて変化している。従って、物体を撮影した画像を画像表示装置で表示したとしても、表示された画像から物体の色を評価することは困難である。
【０００３】
特許文献１には、カメラで撮影した物体の色を画像表示装置で表示した画像から評価するための技術が開示されている。特許文献１の技術では、物体の色をＸＹＺ表色系で表したＸＹＺの三刺激値と、それと同じ色に見える色標の三刺激値と、色標を撮影したカメラの出力と、色標と同じ色に見える色を表示するための画像表示装置への入力との相互の関係を求めている。これらの関係に基づき、画像表示装置に表示された画像の色から、物体の三刺激値を推定することが可能となる。
【特許文献１】特開２０００−９５３４号公報
【発明の開示】
【発明が解決しようとする課題】
【０００４】
ところで、パーソナルコンピュータ（ＰＣ）又はテレビジョン受像機等として用いる画像表示装置には、各色をどのように表現しているかを特徴付ける色特性がある。現在、画像表示装置には表示素子としてＣＲＴ又は液晶を用いたもの等、種々の種類があり、種類によってその色特性は異なる。また同一種類の画像表示装置であっても、メーカの違い又は機種の違い等により色特性は異なっている。互いに色特性が異なる画像表示装置では、同一の画像データに基づいた画像を表示したとしても、表示される画像の色は互いに異なることとなる。特許文献１の技術では、画像表示装置の色特性が考慮されておらず、物体の三刺激値と入力との関係を求めた画像表示装置と色特性が異なる画像表示装置を用いた場合は、この技術を適用することはできない。
【０００５】
インターネット等の通信ネットワークを介して画像データを送信し、送信された画像データに基づいて不特定多数の画像表示装置で画像を表示する場合、画像表示装置毎に色特性が異なるので、特許文献１の技術を適用することはできない。従って、通信ネットワークを介して受信した画像データに基づいた画像を画像表示装置に表示させた使用者は、画像に映っている物体の実際の色を知ることはできない。例えば、通信ネットワークを用いた通信販売では、画像に映った商品を確認した上で商品を購入したとしても、画像表示装置に表示された色と実際の商品の色とが異なり、売買トラブルに発展する虞がある。
【０００６】
本発明は、斯かる事情に鑑みてなされたものであって、その目的とするところは、色特性に合わせて色の補正を行うことにより、物体を人の目で直接認識した場合と同等の色で物体の画像を表示することができる画像表示装置及びコンピュータプログラムを提供することにある。
【課題を解決するための手段】
【０００７】
本発明に係る画像表示装置は、色を特定する色データを含む画像データを受信する受信手段と、該受信手段が受信した画像データに基づいた画像を表示する表示手段とを備える画像表示装置において、予め求められた、色データが特定する色と前記表示手段が前記色データに基づいて表示する色との色ずれを示す情報を記憶する手段と、前記情報が示す色のずれを解消するように、前記受信手段が受信した画像データが含む色データに基づいて前記表示手段が表示する色を補正する手段とを備えることを特徴とする。
【０００８】
本発明に係る画像表示装置は、前記表示手段が表示する画像の明るさを測定する手段と、画像の明るさに応じて色が変化して人の目に見える現象に基づき、前記表示手段が表示する画像の明るさに応じて該画像の色が変化して見える色変化を相殺するように、前記表示手段が表示する画像の色を補正する手段とを更に備えることを特徴とする。
【０００９】
本発明に係る画像表示装置は、色を特定する色データを含む画像データを受信する受信手段と、該受信手段が受信した画像データに基づいた画像を表示する表示手段とを備える画像表示装置において、予め求められた、所定の標準色を表す色彩値と、前記標準色を特定する色データに基づいて前記表示手段が表示する色を表す色彩値との差分を記憶する記憶手段と、前記受信手段が受信した画像データが含む色データが特定する色を表す色彩値を求める手段と、求めた色彩値が表す色を前記表示手段で表示できるように、求めた色彩値を前記差分を用いて補正する補正手段と、前記画像データが含む色データを、補正した色彩値が表す色を特定する色データへ変換する手段と、該手段が色データを変換した画像データに基づいて前記表示手段に画像を表示させる手段とを備えることを特徴とする。
【００１０】
本発明に係る画像表示装置は、明るさの変化に応じて色が変化して人の目に見える各色の色変化を示す色変化情報を記憶する手段と、前記表示手段が表示する画像の明るさを測定する手段と、前記受信手段が受信した画像データが示す画像の明るさを求める手段と、該手段が求めた明るさから前記表示手段が表示する画像の明るさへ明るさが変化したときに前記画像データが含む色データが示す色へ色変化を起こす色を表す色彩値を、前記色変化情報に基づいて特定する色彩値特定手段とを更に備え、前記補正手段は、前記色彩値特定手段が特定した色彩値を補正するように構成してあることを特徴とする。
【００１１】
本発明に係る画像表示装置は、前記記憶手段は、複数種類の表示手段の夫々について予め求められた、所定の標準色を表す色彩値と、前記標準色を特定する色データに基づいて表示手段が表示する色を表す色彩値との差分を、複数の表示手段の種類に関連付けて記憶しており、複数の表示手段の種類の中から一の種類の選択を受け付ける手段と、該手段が選択を受け付けた表示手段の種類に関連付けて前記記憶手段が記憶している前記差分を、前記補正手段で用いるべき差分として取得する手段とを更に備えることを特徴とする。
【００１２】
本発明に係るコンピュータプログラムは、コンピュータに、画像データに基づいた画像を表示手段に表示させるコンピュータプログラムにおいて、コンピュータに、画像データが含む色データが特定する色を表す色彩値を求めさせる手順と、コンピュータに、所定の標準色を表す色彩値と前記標準色を特定する色データに基づいて前記表示手段が表示する色を表す色彩値との差分を用いて、求めた色彩値が表す色を前記表示手段で表示できるように、求めた色彩値を補正させる手順と、コンピュータに、画像データが含む色データを、補正した色彩値が表す色を特定する色データへ変換させる手順と、コンピュータに、色データを変換した画像データに基づいて前記表示手段に画像を表示させる手順とを含むことを特徴とする。
【００１３】
本発明に係るコンピュータプログラムは、コンピュータに、画像データが示す画像の明るさを求めさせる手順と、コンピュータに、求めた明るさから前記表示手段が表示する画像の明るさへ明るさが変化したときに画像データが含む色データが示す色へ色変化を起こす色を表す色彩値を、明るさの変化に応じて色が変化して人の目に見える各色の色変化を示す色変化情報に基づいて特定させる手順とを更に含むことを特徴とする。
【００１４】
本発明においては、画像表示装置は、標準色を表す色彩値と標準色を特定する色データに基づいて表示した色を表す色彩値との差分等、表示する色のずれを示す情報を記憶しておき、色のずれを解消するように情報に基づいて色を補正した上で画像を表示する。これにより、画像表示装置は画像データに含まれる色データが特定する色を表示することができる。
【００１５】
また本発明においては、標準色を表す色彩値と標準色を特定する色データに基づいて表示した色を表す色彩値との差分は予め測定され、メーカの違い等、複数の表示手段の種類に関連付けて複数の差分が画像表示装置に記憶されており、使用者の操作により表示手段の種類を選択し、選択した表示手段の種類に関連付けられた差分を用いて色の補正を行う。
【００１６】
更に本発明においては、表示手段が表示する画像の明るさを測定し、画像データが含む色データが示す色の明るさを求め、明るさの変化に応じて色が変化して見える現象に基づき、明るさの変化による色の変化を相殺するように色を補正して画像を表示する。
【発明の効果】
【００１７】
本発明にあっては、画像表示装置は外部から受信した画像データに忠実な色で画像を表示するので、物体を撮影した画像を人が目で見た物体と同じ色で表示することができる。従って、インターネット等の通信ネットワークを介して画像データを受信した場合でも、実際の物体と同じ色で物体の画像を表示することが可能となり、通信販売の売買トラブルを未然に防止することができる。
【００１８】
更に本発明にあっては、明るさの変化による色の変化を相殺するように色を補正することにより、表示手段がどのような明るさで画像を表示したとしても、元の画像データで意図された色と同じ色で画像を表示することができる等、本発明は優れた効果を奏する。
【発明を実施するための最良の形態】
【００１９】
以下本発明をその実施の形態を示す図面に基づき具体的に説明する。
（実施の形態１）
図１は、本発明の実施の形態１に係る画像表示装置１の構成を示すブロック図である。画像表示装置１は、ＰＣ等の汎用コンピュータを用いて構成されており、演算を行うＣＰＵ１１と、演算に伴って発生する一時的な情報を記憶するＲＡＭ１２と、磁気ディスク又は光ディスク等の記録媒体Ｄから情報を読み取るＣＤ−ＲＯＭドライブ等のドライブ部１３と、ハードディスク等の記憶部（記憶手段）１４とを備えている。ＣＰＵ１１は、記録媒体Ｄから本発明のコンピュータプログラム１０をドライブ部１３に読み取らせ、読み取ったコンピュータプログラム１０を記憶部１４に記憶させる。コンピュータプログラム１０は必要に応じて記憶部１４からＲＡＭ１２へロードされ、ロードされたコンピュータプログラム１０に基づいてＣＰＵ１１は画像表示装置１に必要な処理を実行する。
【００２０】
画像表示装置１は、ＣＲＴディスプレイ又は液晶ディスプレイ（ＬＣＤ）等の表示器（表示手段）２と、使用者が操作することによる各種の処理指示等の情報が入力されるキーボード又はポインティングデバイス等の入力部１５とを備えている。表示器２及び入力部１５は、コンピュータに対して着脱が可能な外部機器であり、図示しない入出力インタフェースを介してＣＰＵ１１に接続されている。また画像表示装置１は、外部と通信を行う通信部（受信手段）１６を備えている。通信部１６は、インターネット等の外部の通信ネットワークに接続され、通信ネットワークを介して外部から送信された画像データを受信する。画像表示装置１は、通信部１６が受信した画像データに基づいて表示器２に画像を表示させる処理を行う。更に画像表示装置１は、表示器２が表示する画像の明るさを測定する輝度計１７を備えている。
【００２１】
記憶部１４は、表示器２で表示する画像の色が、表示器２の特性によって本来表示すべき色からずれる色特性を表す色特性データを記憶している。表示器２の色特性は、表示器２のメーカにより各機種の表示器２について測定され、記憶部１４に記憶されている。
【００２２】
図２は、表示器２の色特性を測定する方法の例を示す概念図である。表示器２は、コンピュータ２１に接続されており、コンピュータ２１からの画像データに基づいて画像を表示する。標準イルミナントＡ又はＤ６５等の所定の標準光を発光する光源Ｌがあり、分光測色器２２が光源Ｌからの光を受光する。分光測色器２２は、受光した光を分光して測色し、測色した結果をコンピュータ２１へ入力する。コンピュータ２１は、分光測色器２２からの入力に基づき、分光測色器２２が測色した色、即ち標準光の色を分析する処理を行う。コンピュータ２１は、分析した色を特定する色データを含む画像データを作成し、作成した画像データを表示器２へ入力する。表示器２は、コンピュータ２１から入力された画像データに基づいた画像を表示する。これにより、表示器２は標準光の画像を表示する。
【００２３】
更に、もう一つの分光測色器２３があり、分光測色器２３は、表示器２が表示した画像の光を受光し、受光した光を分光して測色し、測色した結果をコンピュータ２１へ入力する。分光測色器２２で測色した色は、標準光の本来の色であり、分光測色器２３で測色した色は、標準光の色を特定する色データに基づいて表示器２が表示した色である。コンピュータ２１は、分光測色器２２，２３からの入力に基づき、分光測色器２２，２３が測色した色をＸＹＺ表色系で定量的に表した三刺激値（色彩値）を求める処理を行う。ここで、分光測色器２２が測色した色、即ち標準光の色を表した三刺激値を（Ｘ０，Ｙ０，Ｚ０）とし、分光測色器２３が測色した色、即ち表示器２が標準光の色を表示しようとして実際に表示した色を表した三刺激値を（Ｘ，Ｙ，Ｚ）とする。通常、（Ｘ０，Ｙ０，Ｚ０）と（Ｘ，Ｙ，Ｚ）とは一致せず、表示器２が表示する色は標準光の色からずれる。コンピュータ２１は、表示器２が表示する色の三刺激値（Ｘ，Ｙ，Ｚ）から標準光の色の三刺激値（Ｘ０，Ｙ０，Ｚ０）を差し引くことにより、表示器２で表示する色がずれる色特性を表す三刺激値の差分（ΔＸ，ΔＹ，ΔＺ）を求める。
【００２４】
以上の三刺激値の差分を求める処理は、表示器２のメーカ、又は特定の評価機関で行われる。表示器２のメーカ毎、並びにＣＲＴ又はＬＣＤ等の表示器２の表示方式毎に三刺激値の差分が求められ、求められた三刺激値の差分からなる色特性データが配布される。図３は、色特性データの内容例を示す概念図である。表示器２のメーカ及び表示方式に関連付けて、求められた三刺激値の差分が記録されている。このような色特性データは、例えば、表示器２の販売時に表示器２に付属したＣＤ−ＲＯＭ等の記録媒体に記録された形態で配布され、画像表示装置１は、ドライブ部１３で記録媒体から色特性データを読み出し、記憶部１４に記憶する。またコンピュータプログラム１０を記録する記録媒体Ｄに色特性データが記録されている形態であってもよい。またインターネット等の通信ネットワークを介して色特性データが配布され、画像表示装置１は、通信部１６で受信した色特性データを記憶部１４に記憶する形態であってもよい。
【００２５】
記憶部１４は、更に、明るさが変化したときに人の目には色が変化して見えるベゾルト・ブリュッケ現象による明るさに応じた各色の色変化を示す色変化情報を記憶している。図４は、ベゾルト・ブリュッケ現象によるスペクトル上の色の変化を示した特性図である。図中の縦軸は画像の輝度の対数を示し、図中の横軸は夫々の明るさにおいて人の目に見える色に対応する光の波長を示す。図４では、縦軸方向に上へ行く程明るくなり、画像の明るさが変化すると図中の曲線に沿って人の目に見える色に対応する光の波長が変化することを示している。記憶部１４が記憶する色変化情報は、図４に示す如き、表示器２が表示する画像の明るさに応じた色の変化を表す情報を記録している。
【００２６】
次に、以上の構成でなる画像表示装置１の利用形態を説明する。図５は、本発明の画像表示装置１の利用形態を示す概念図である。画像表示装置１は、インターネット等の通信ネットワークＮに接続されている。具体的には通信部１６が通信線によって通信ネットワークＮに接続されており、通信部１６は通信ネットワークＮを介して情報を送受信する。通信ネットワークＮには、ウェブサーバ等のサーバ装置４が接続されている。サーバ装置４は画像データを記憶しており、通信ネットワークＮを介して画像データを画像表示装置１へ送信することが可能である。画像表示装置１は、サーバ装置４からの画像データを通信部１６で受信し、ウェブブラウザ等の画像表示プログラムを利用して、受信した画像データに基づいた画像を表示器２に表示させる。
【００２７】
通信ネットワークＮには、またＰＣ３が接続されている。ＰＣ３は、カメラ３０で何らかの物体Ｂを撮影した画像を表す画像データを通信ネットワークＮを介してサーバ装置４へ送信する構成となっている。サーバ装置４は、ＰＣ３から送信された画像データを記憶し、画像データを画像表示装置１へ送信することを可能にする。例えば、物体Ｂは服等の商品であり、ＰＣ３の使用者は商品の売り手であり、画像表示装置１の使用者は商品の買い手であり、商品である物体Ｂの画像を画像表示装置１が表示することで、通信ネットワークＮを介したショッピングが可能となる。
【００２８】
次に、本発明の画像表示装置１が実行する処理を説明する。図６は、本発明の画像表示装置１が行う画像表示の処理の手順を示すフローチャートである。画像表示装置１のＣＰＵ１１は、ＲＡＭ１２にロードしたコンピュータプログラム１０に従って以下の処理を実行する。画像表示装置１を用いて使用者がショッピング用のウェブサイトを閲覧する際等、必要に応じてサーバ装置４は通信ネットワークＮを介して画像表示装置１へ画像データを送信し、画像表示装置１は、通信部１６で画像データを受信する（Ｓ１）。ＣＰＵ１１は、通信部１６で受信した画像データをＲＡＭ１２又は記憶部１４に記憶し、表示器２の色特性を選択するための選択画面を表示器２に表示させる（Ｓ２）。
【００２９】
図７は、選択画面の例を示す模式図である。ＣＰＵ１１は、記憶部１４から色特性データを読み出し、色特性データに三刺激値の差分が含まれる表示器のメーカ及び表示方式の一覧を表示器２に表示させ、使用者が入力部１５を操作することによる、メーカ及び表示方式の選択の受付を待ち受ける（Ｓ３）。図７に示す選択画面では、表示器のメーカ及び表示方式の一覧が表示されており、使用者は、複数のメーカ及び表示方式の組み合わせの中から、マウスを用いて選択画面上で一の組み合わせをクリックする等の方法により、メーカ及び表示方式の組み合わせを選択する。メーカ及び表示方式の選択の受付がない場合は（Ｓ３：ＮＯ）、ＣＰＵ１１は、選択の受付の待ち受けを続行する。入力部１５でメーカ及び表示方式の選択を受け付けた場合は（Ｓ３：ＹＥＳ）、ＣＰＵ１１は、色特性データから、選択されたメーカ及び表示方式に関連付けて色特性データに記録された三刺激値の差分を取得する（Ｓ４）。
【００３０】
ＣＰＵ１１は、次に、表示器２が表示する画像の輝度を輝度計１７に測定させる（Ｓ５）。このとき、輝度計１７は、表示器２の発光に加えて表示器２の環境光をも含めた光量を測定することにより、表示器２による輝度に環境光による照度を加えた見かけ上の輝度を測定する。輝度計１７が測定する輝度は、表示器２の画面上の各部分で異なる個々の輝度を測定する必要はなく、表示器２の画面全体を平均した平均輝度であれば十分である。また輝度計１７は、表示器２の画面の一部の輝度を代表値として測定する形態であってもよい。輝度計１７の測定結果はＲＡＭ１２に記憶される。ＣＰＵ１１は、次に、受信した画像データに含まれる色データから、画像を構成する各画素の色をＸＹＺ表色系で定量的に表した三刺激値を計算する（Ｓ６）。各画素に対応する色データは例えばＲ（赤）Ｇ（緑）Ｂ（青）の各発光強度を８ビットで表したデータであり、所定のマトリクス変換及びガンマ補正等の所定の処理を施すことで色をＸＹＺ表色系で表した三刺激値が求められる。
【００３１】
ＣＰＵ１１は、次に、計算したＸＹＺ表色系の三刺激値から、画像データに基づいた画像における各画素での元の輝度を計算する（Ｓ７）。ＸＹＺ表色系の三刺激値の内の刺激値Ｙは、色の測光量に対応しており、画素について計算した刺激値Ｙｎの値から、各画素での元の輝度が求められる。ＣＰＵ１１は、次に、記憶部１４で記憶している色変化情報を参照することにより、画素の明るさが元の輝度から輝度計１７で測定した輝度へ変化したときに三刺激値で表される色と同じ色に見える色を特定する（Ｓ８）。例えば、輝度計１７で測定した輝度が元の輝度よりも大であり、計算した三刺激値で表される色が紫である場合、図４に示す如く、画像の明るさが元の輝度から輝度計１７で測定した輝度へ変化したときに紫色に見えるように紫よりも青よりの色を特定する。ＣＰＵ１１は、次に、特定した色をＸＹＺ表色系で表す三刺激値を計算する（Ｓ９）。
【００３２】
ＣＰＵ１１は、次に、ステップＳ９で計算した三刺激値が表す色を表示器２で表示できるように、ステップＳ４で取得した差分を用いて三刺激値を補正する（Ｓ１０）。例えば、ステップＳ９で計算した三刺激値が（Ｘｎ，Ｙｎ，Ｚｎ）であり、ステップＳ４で取得した三刺激値の差分が（ΔＸ，ΔＹ，ΔＺ）である場合、ＣＰＵ１１は、表示器２の色特性により差分（ΔＸ，ΔＹ，ΔＺ）だけ色がずれて表示される状況で三刺激値（Ｘｎ，Ｙｎ，Ｚｎ）の色が表示できるように、三刺激値を（Ｘｎ−ΔＸ，Ｙｎ−ΔＹ，Ｚｎ−ΔＺ）と補正する。
【００３３】
ＣＰＵ１１は、次に、各画素の色データを、ステップＳ１０で補正した三刺激値が表す色を特定する色データへ変換し（Ｓ１１）、各画素の色データを変換した画像データに基づいて表示器２に画像を表示させる（Ｓ１２）。以上で画像表示装置１は画像を表示する処理を終了する。なお、以上の処理の内、ステップＳ２及びＳ３は、表示器２の色特性を一度選択した後は、画像データを受信する度に毎回行う必要はない。ステップＳ２及びＳ３を実行してステップＳ４で取得した差分をＲＡＭ１２又は記憶部１４に記憶し、記憶した差分を必要に応じて読み出すことにより、以後はステップＳ２及びＳ３を省略した処理を実行することができる。
【００３４】
表示器２で画像を表示したときには、画像データに含まれる色データが示す色から三刺激値の差分（ΔＸ，ΔＹ，ΔＺ）だけずれて色が表示されるので、元々の色データが示す色の三刺激値から差分を予め差し引いて三刺激値を補正し、補正した三刺激値が表す色を特定する色データに基づいて画像を表示することにより、色ずれが解消され、表示器２は元々の色データが示す色を表示することができる。即ち、画像表示装置１は、サーバ装置４から受信した画像データに忠実な色で画像を表示する。またＰＣ３も画像表示装置１と同様の本発明の画像表示装置であった場合は、ＰＣ３はその色特性に応じた処理を行って画像を表示し、ＰＣ３の使用者からの指示に応じて画像を調整することにより、ＰＣ３の使用者が目で見た物体Ｂと同じ色で表示される画像を表す画像データを作成することができる。更に作成した画像データをＰＣ３からサーバ装置４へ送信し、画像データをサーバ装置４から画像表示装置１へ送信して画像表示装置１で画像を表示することにより、画像表示装置１では、人が目で見た物体Ｂと同じ色で画像を表示することができる。従って、通信ネットワークＮを介した通信販売を行った場合でも、商品である物体Ｂを人が目で見た色と画像表示装置１で表示した画像での色とが同じであるので、売買トラブルが未然に防止される。
【００３５】
また本発明においては、表示器２の色特性はメーカ又は評価機関で予め測定されており、画像表示装置１の使用者は表示器２のメーカ及び表示方式を選択するだけで画像表示装置１を調整することができるので、使用者は手間をかけずに正しい色の画像を見ることができる。更に本発明では、明るさの変化に応じて色が変化して見えるベゾルト・ブリュッケ現象による色の変化に対し、画素の明るさが元の輝度から表示器２の輝度へ変化したときに元の色と同じ色に見える色に画像の色を補正することにより、元の画像データで意図された色と同じ色で画像を表示することができる。従って、表示器２がどのような明るさで画像を表示したとしても、物体Ｂを人が目で見た色と同じ色で表示器２は物体Ｂの画像を表示することができる。
【００３６】
なお、本実施の形態においては、表示器２の色特性を表す色特性データとして、所定の標準光の色と表示器２が表示する標準光の画像の色との三刺激値の差分（ΔＸ，ΔＹ，ΔＺ）を用いる形態を示したが、色特性データはこれに限るものではない。例えば、色特性データとして、標準光の色に係る三刺激値の差分のみを用いるのではなく、所定の色標に含まれる色等、複数の色に係る三刺激値の差分を用いてもよい。複数の色に係る三刺激値の差分を色特性データに記録しておき、ステップＳ８で特定した色に対応する差分を用いてステップＳ１０の処理を行うことにより、より細かい精度で画像の色を補正することができる。また色特性データとして三刺激値の差分を用いるのではなく、色のずれを数式又は関数で表した情報を用いてもよい。この数式又は関数の情報を色特性データに記録しておき、この数式又は関数を用いてステップＳ１０の三刺激値を補正する処理を行うことにより、画像の色を補正することができる。
【００３７】
また、本実施の形態においては、表示器２の色特性をメーカ及び表示方式に関連付けて記録する形態を示したが、これに限るものではなく、表示器２の機種別又は型番別等、より細かい表示器２の種類別に色特性を記録する形態であってもよい。また本実施の形態においては、色を定量的に表す色彩値としてＸＹＺ表色系の三刺激値を用いた例を示したが、本発明においては、ＲＧＢ表色系、Ｌ* ａ* ｂ* 表色系、又はＬ* ｕ* ｖ* 表色系等、他の表色系に基づいた色彩値を用いてもよい。
【００３８】
また、本実施の形態においては、表示器２の輝度を測定し、測定した輝度に応じて色を補正する処理を行う形態を示したが、本発明の画像表示装置１は、輝度に応じた色補正を行なわない形態であってもよい。即ち、この形態の画像表示装置１は、ステップＳ５及びＳ７〜Ｓ９の処理を実行せず、ステップＳ１０では、ステップＳ６で計算した三刺激値を補正する処理を行う。この形態においては、輝度計１７を備えていないＰＣを画像表示装置１として用いた場合であっても、本発明を実現することが可能となる。
【００３９】
（実施の形態２）
実施の形態１においては、本発明の画像表示装置をＰＣ等の汎用コンピュータを用いて構成した例を示したが、実施の形態２においては、テレビジョン受像機又はＰＣのディスプレイ等、各種の表示器が単独で本発明の画像表示装置として動作する形態を示す。図８は、実施の形態２に係る本発明の画像表示装置５の内部構成を示すブロック図である。画像表示装置５は、画像処理を行うプロセッサ、画像処理に伴う情報を記憶するＲＡＭ、及び制御プログラムを記憶するＲＯＭ等からなる制御処理部５１を備えている。制御処理部５１には、画像を表示するためのデバイスである液晶パネル等の表示部５２と、色特性データを記憶するＲＯＭ（記憶手段）５３と、外部から入力される画像データを受信する入力インタフェース（受信手段）５４とが接続されている。制御処理部５１は、入力インタフェース５４に入力された画像データに基づいて表示部５２に画像を表示させる処理を行う。
【００４０】
ＲＯＭ５３が記憶する色特性データは、表示部５２の色特性を示す三刺激値の差分等の情報が記録されている。表示部５２の色特性は、実施の形態１と同様の方法で測定され、表示部５２についての色特性データがＲＯＭ５３に記憶されて画像表示装置５が出荷される。入力インタフェース５４で画像データを受信すると（Ｓ１）、制御処理部５１は、色特性データに記録された三刺激値の差分を取得し（Ｓ４）、画像データから画素の三刺激値を計算し（Ｓ６）、実施の形態１と同様の処理により、取得した差分を用いて三刺激値を補正し（Ｓ１０）、画像データの色データを変換し（Ｓ１１）、画像を表示部５２に表示させる（Ｓ１２）。以上の処理により、単独の表示器でなる画像表示装置５においても、物体Ｂを人が目で見た色と同じ色で物体Ｂの画像を表示することができる。
【００４１】
なお、画像表示装置５は、表示部５２で表示する画像の輝度を測定する輝度計を備えた形態であってもよい。この形態の場合は、前述の処理に加えてステップＳ５及びＳ７〜Ｓ９の処理を実行することにより、表示部５２がどのような明るさで画像を表示したとしても、画像表示装置５は、物体Ｂを人が目で見た色と同じ色で物体Ｂの画像を表示することができる。
【図面の簡単な説明】
【００４２】
【図１】本発明の実施の形態１に係る画像表示装置の構成を示すブロック図である。
【図２】表示器の色特性を測定する方法の例を示す概念図である。
【図３】色特性データの内容例を示す概念図である。
【図４】ベゾルト・ブリュッケ現象によるスペクトル上の色の変化を示した特性図である。
【図５】本発明の画像表示装置の利用形態を示す概念図である。
【図６】本発明の画像表示装置が行う画像表示の処理の手順を示すフローチャートである。
【図７】選択画面の例を示す模式図である。
【図８】実施の形態２に係る本発明の画像表示装置の内部構成を示すブロック図である。
【符号の説明】
【００４３】
１、５  画像表示装置
１０  コンピュータプログラム
１１  ＣＰＵ
１４  記憶部（記憶手段）
１５  入力部
１６  通信部（受信手段）
１７  輝度計
２  表示器（表示手段）
５１  制御処理部
５２  表示部（表示手段）
５３  ＲＯＭ（記憶手段）
５４  入力インタフェース（受信手段）
Ｄ  記録媒体
【図１】
2008306498.tif 000003
【図２】
2008306498.tif 000004
【図３】
2008306498.tif 000005
【図４】
2008306498.tif 000006
【図５】
2008306498.tif 000007
【図６】
2008306498.tif 000008
【図７】
2008306498.tif 000009
【図８】
2008306498.tif 000010